(57)【要約】【課題】定数量個だけの取り出しを可能にする計量性能を有し、キャップからの錠剤の取り出しが容易であり、キャップをはずしている時にも容器からの錠剤の漏れ出がなく、また、構造が簡単な定数量個取り出し機構つき錠剤容器を提供する【解決手段】内容物を収容可能な容器本体２と容器本体２の口部に装着して容器本体２の口部を閉じている中栓３と、中栓３の上から容器本体２の口部を覆う開閉可能なキャップ４とを有し、キャップ４は開口している先端部を有し内容物１０の定数量を収容可能な計量収容部１７を天板の内側に有し中栓３は内容物１０の通過を許容しない大きさの小開口とキャップ４の計量収容部１７の先端部を通過させる大きさの大開口２２との間に変形可能な開口を有する仕切り板１４を備えている【選択図】    図１
2005015008.tif 000002
【特許請求の範囲】
【請求項１】
内容物を収容可能な容器本体と前記容器本体の口部に装着して前記容器本体の口部を閉じている中栓と、前記中栓の上から前記容器本体の口部を覆う開閉可能なキャップとを有し、前記キャップは開口している先端部を有し内容物の定数量を収容可能な計量収容部を天板の内側に有し、前記中栓は前記内容物の通過を許容しない大きさの小開口と前記キャップの計量収容部の先端部を通過させる大きさの大開口との間に変形可能な開口を形成する仕切り板を備えていることを特徴とする定数量個取り出し機構つき錠剤容器。
【請求項２】
前記中栓は弾性復元力を有する材料によって構成されていることを特徴とする請求項１記載の定数量個取り出し機構つき錠剤容器。
【請求項３】
前記中栓は周辺部において前記容器口部にアンダーカットにより嵌合することを特徴とする請求項１記載の定数量個取り出し機構つき錠剤容器。
【請求項４】
前記キャップは前記口部に嵌合または螺合可能であることを特徴とする請求項１記載の定数量個取り出し機構つき錠剤容器。
【発明の詳細な説明】
【０００１】
【産業上の利用分野】
この発明は錠剤などの粒状物の内容物を収納し、かつ定数量ずつ取り出す場合に使用する容器に関するものである。
【０００２】
【従来の技術】
嗜好品、サプリメント、薬剤は一度の摂取量の適量が定められており、これらの粒状物は錠剤として形成され、容器に収納され、容器から取り出して使用される。
【０００３】
これらサプリメントなどの錠剤の容器には遮光性、防潤性が求められる。現在市場に出回っている錠剤系のボトル容器は錠剤を収容する容器胴部とその開口部を開閉するキャップとからなっているが、定量数個を取り出す計数機能は付加されていないので、内容物を取り出す際には容器胴部から不定量の内容物を手のひらまたはキャップに振り出して載せるなどして取り出し、取り出し量が少ない時は振り出し動作を繰り返し、また、取り出し過ぎた場合には容器胴部に戻す必要が生じる。しかし開口部が小さく、一旦取り出し過ぎたものを容器に戻し難い上に、直接手の上に取り出した内容物を容器に戻す場合には内容物を濡らしたり不潔感を伴うことになる。
【０００４】
【特許文献１】実開平５−４９６４８号
特許文献１は容器口部を開閉するキャップの内側に錠剤を収容可能な室を設け、その室の入り口を開口させて、その室と容器内部とを連通させると共にその入り口の縁に堰堤を形成して、容器を逆さにした時に錠剤がキャップの室内に流入し、容器を元の姿勢に戻した時にいくつかの錠剤が堰堤によって留められてキャップの室内に残るように構成したものであるが、キャップの室に計量機能が付加されておらず、キャップの室内の錠剤を手のひらに移すためには、キャップを激しく振って錠剤に堰堤を乗り越えさせなければならないし、また、キャップを容器からはずしている時に、容器から錠剤がこぼれ出る可能性もある。
【０００５】
この発明は上記の如き事情に鑑みてなされたものであって、定数量個だけの取り出しを可能にする計量性能を有し、キャップからの錠剤の取り出しが容易であり、キャップをはずしている時にも容器からの錠剤の漏れ出がなく、また、構造が簡単な定数量個取り出し機構つき錠剤容器を提供することを目的とするものである。
【０００６】
【構成】
この目的に対応して、この発明の定数量個取り出し機構つき錠剤容器は、内容物を収容可能な容器本体と前記容器本体の口部に装着して前記容器本体の口部を閉じている中栓と、前記中栓の上から前記容器本体の口部を覆う開閉可能なキャップとを有し、前記キャップは開口している先端部を有し内容物の定数量を収容可能な計量収容部を天板の内側に有し前記中栓は前記内容物の通過を許容しない大きさの小開口と前記キャップの計量収容部の先端部を通過させる大きさの大開口との間に変形可能な開口を形成する仕切り板を備えていることを特徴としている。
【０００７】
【実施の態様】
以下、この発明の詳細を一実施例を示す図面について説明する。
図１から図３において、１は錠剤容器であり、錠剤容器１はボトル状の容器本体２と中栓３とキャップ４とを備えている。容器本体２は筒状をなす胴部５とノズル部６とが肩部７を境にして連続しており、胴部５の下端は底８で閉じており、ノズル部６の上端は開口している。
【０００８】
ノズル部６の外面にはそれぞれ、上端部にアンダーカット９が形成され、また下端に外ねじ１２が形成されている。容器本体２は多数個の錠剤状の内容物１０を収容することができる。ノズル部６の上端部には中栓３が装着して仕切り板１４がノズル部６の開口１３を横断して閉じている。
【０００９】
中栓３は図３に示すように、仕切り板１４とその周縁部から立ち下がっている取付筒１５を有していて、取付筒１５の下端に形成されているアンダーカット１１を利用してノズル部６のアンダーカット９と嵌合してノズル部６に装着される。
【００１０】
仕切り板１４は薄板状をなしていて、中央部に径の小さい小開口１６が形成されている。この小開口１６は内容物１０の径よりも小径で、したがって内容物を通過させない小径のものであるが、後述するようにキャップ４の大径の計量収容部１７を押し通すことによって、計量収容部１７を通過させることができる大径の大開口２２に変形することができる。この変形は仕切り板１４の弾性変形によって実現されるのであり、この弾性変形を容易にするために、小開口１６から放射状にスリット１８が形成され、これによって多数の片持はり状の仕切片２１が形成され小開口１６から大開口２２への変形及びその逆の大開口２２から小開口１６への復元はこの片持ちはり状の仕切り片２１の弾性変形によって実現される。キャップ４は図１、図２に示すように、天板２３と取付筒２４とを有する。取付筒２４の上端は天板２３によって閉じられており、下端は開放であり、内面に内ねじ２５が形成されている。キャップ４はこの内ねじ２５が容器本体２の外ねじ１２に螺合することによって、中栓３の上からノズル部６を覆ってノズル部６に開閉可能に取り付けられる。天板２３の内面からは計量収容部１７が下方に向けて突出している。計量収容部１７は筒状をなし、上端は天板２３で閉じられており、下端２６は開口２７となっている。計量収容部１７の収容室１９の容積及び形状は内容物１０の定数個以下を収容または保持することが可能に決定されている。
【００１１】
計量収容部１７はキャップ４がノズル部６に螺合してノズル部６に対して直線変位するに応じて計量収容部１７の下端２６は中栓３の仕切り板１４を押して小開口１６を大開口２２に変形させながらノズル部６の内外に進退する。中栓３の仕切り板１４が小開口１６から大開口２２に変形するのに充分な可変形性を有する場合にはスリット１８は設けなくてもよい。
【００１２】
このように構成された錠剤容器１における内容物１０の動作は次の通りである。図４に示すように、容器本体２に多数個の内容物１０が充填、収納され、中栓３が嵌着して仕切り板１４がノズル部６を閉じ、かつ中栓３の上からキャップ４が外ねじ１２に螺合して容器本体２のノズル部６を閉じた状態においては、キャップ４の計量収容部１７の下端２６が中栓３の仕切り板１４の小開口１６を大開口２２に押し拡げた状態で、開口２７が容器本体２内に開口し、内容物１０が計量収容部１７に入り込んでいる。この入り込んだ内容物１０ａの個数は計量収容部１７の容積や形状によって決定された定数個（図示の場合は１個）である（図４ａ）。
【００１３】
次に容器本体２のノズル部６に対するキャップ４の螺合を緩めてキャップ４を後退させるにつれて、仕切り板１４は弾性力により復元して行き（図４ｂ）、計量収容部１７内の内容物１０ａとノズル部６内に残留する内容物１０ｂとの間に仕切り板１４が介在するようになり（図４ｃ）、ついに仕切り板１４の小開口１６は完全に復元して、残留した内容物１０ｂを止め、目的の内容物１０ａが分離して計量収容部１７に止まることによる。
【００１４】
この状態からキャップ４を外すと目的の内容物１０ａが計量収容部１７内に取り出され、手のひらに振り出すことができる。計量収容部１７には堰堤などの障害物がないので、この振り出しは容易である。空になったキャップ４は容器本体２のノズル部６にきつく螺合させて初めの状態に戻る。
【００１５】
【発明の効果】
この発明の錠剤容器１では、キャップ４の収容部１７の容積や形状を内容物１０の取り出し個数に応じて規定し、かつ仕切り板１４を擦り切り部材として機能させることにより、定数量個だけの取り出しを可能にする計量性能を実現することができる。さらに、仕切り板１４が内容物１０を抑えているので、キャップ４を容器本体２から外しているときにも、内容物が容器本体２から漏れ出ることがない。また、キャップ４の計量収容部１７には堰堤などの内容物１０の移動を抑制する部材が存在しないので、キャップ４から人手への内容物１０の振り出しは容易である。しかも従来の計量機能を持つ錠剤容器と較べて、中栓を加えた３部品数で構成できるので、構成が極めて簡単である。
【００１６】
以上の説明から明らかな通り、この発明によれば、定数量個だけの取り出しを可能にする計量性能を有し、キャップからの錠剤の取り出しが容易であり、キャップをはずしている時にも容器からの錠剤の漏れ出がなく、また、構造が簡単な定数量個取り出し機構つき錠剤容器を得ることができる。
【００１７】
【図面の簡単な説明】
【図１】この発明の錠剤容器の縦断面説明図。
【図２】錠剤容器の分解縦断面説明図。
【図３】中栓を示す図で、（ａ）は平面説明図、（ｂ）は縦断面説明図。
【図４】錠剤容器から内容物を取り出す動作を示す説明図。
【符号の説明】
１    錠剤容器
２    容器本体
３    中栓
４    キャップ
５    胴部
６    ノズル部
７    肩部
８    底
９    アンダーカット
１０  内容物
１１  アンダーカット
１２  外ねじ
１３  開口
１４  仕切り板
１５  取付筒
１６  小開口
１７  計量収容部
１８  スリット
１９  収容室
２１  仕切片
２２  大開口
２３  天板
２４  取付筒
２５  内ねじ
２６  下端
２７  開口
【図１】
2005015008.tif 000003
【図２】
2005015008.tif 000004
【図３】
2005015008.tif 000005
【図４】
2005015008.tif 000006